(57)【要約】【課題】複数のチャンネルの中から適切なチャンネルを自動的に選択することができる番組受信装置を提供する。【解決手段】番組受信装置１００は、人気番組の開始時刻と当該人気番組を受信するための第１チャンネルとを示す人気番組情報を受信する通信部１１０を備え、選択部１１２が人気番組の開始時刻前に第２チャンネルを選択している場合に、（i）第２チャンネルの番組が人気番組の開始時刻に終了する場合、選択部１１２は、人気番組の開始時刻に第２チャンネルから第１チャンネルに選択を切り替え、（ii）第２チャンネルの番組が人気番組の開始時刻に終了しない場合、（ii−１）録画部１１４は、人気番組の開始時刻に人気番組のメモリ１１６への記録を開始し、（ii−２）再生部１１８は、第２チャンネルの番組の終了時刻にメモリ１１６に記録された人気番組のタイムシフト再生を開始する。【選択図】図２
2015226315.tif 000002
【特許請求の範囲】
【請求項１】
複数のチャンネルの番組を受信することができる番組受信装置であって、
前記複数のチャンネルの中から表示部に表示する番組のチャンネルを選択するための選択部と、
前記複数のチャンネルの中の少なくとも１つのチャンネルの番組をメモリに記録するための録画部と、
前記メモリに記録された番組を再生するための再生部と、
人気番組の開始時刻と当該人気番組を受信するための第１チャンネルとを示す人気番組情報を受信する通信部とを備え、
前記選択部が前記人気番組の開始時刻前に第２チャンネルを選択している場合に、
（i）前記第２チャンネルの番組が前記人気番組の開始時刻に終了する場合、前記選択部は、前記人気番組の開始時刻に、前記第２チャンネルから前記第１チャンネルに選択を切り替え、
（ii）前記第２チャンネルの番組が前記人気番組の開始時刻に終了しない場合、（ii−１）前記録画部は、前記人気番組の開始時刻に、前記人気番組の前記メモリへの記録を開始し、（ii−２）前記再生部は、前記第２チャンネルの番組の終了時刻に、前記メモリに記録された前記人気番組のタイムシフト再生を開始する
番組受信装置。
【請求項２】
前記人気番組のタイムシフト再生が行われている時にユーザからチャンネルの選択操作が受け付けられた場合、前記再生部は、前記人気番組のタイムシフト再生を中止する
請求項１に記載の番組受信装置。
【請求項３】
前記選択部は、前記人気番組の開始時刻前にザッピングが行われているか否かを判定し、
前記選択部が前記人気番組の開始時刻前に第２チャンネルを選択している場合、かつ、前記ザッピングが行われていないと判定された場合に、
（i）前記第２チャンネルの番組が前記人気番組の開始時刻に終了する場合、前記選択部は、前記人気番組の開始時刻に、前記第２チャンネルから前記第１チャンネルに選択を切り替え、
（ii）前記第２チャンネルの番組が前記人気番組の開始時刻に終了しない場合、（ii−１）前記録画部は、前記人気番組の開始時刻に、前記人気番組の前記メモリへの記録を開始し、（ii−２）前記再生部は、前記第２チャンネルの番組の終了時刻に、前記メモリに記録された前記人気番組のタイムシフト再生を開始する
請求項１または２に記載の番組受信装置。
【請求項４】
前記録画部が前記人気番組を前記メモリへ記録している時にユーザからチャンネルの選択操作が受け付けられた場合、前記録画部は、前記人気番組の前記メモリへの記録を中止する
請求項１〜３のいずれか１項に記載の番組受信装置。
【発明の詳細な説明】
【技術分野】
【０００１】
本発明は、複数のチャンネルの番組を受信することができる番組受信装置に関する。
【背景技術】
【０００２】
一般的に、テレビ受像機（television set）は、複数チャンネルのテレビ番組を受信し、選択されたチャンネルのテレビ番組を表示する。チャンネルの選択は、例えば、リモコン（remote control）を用いてユーザによって行われる。
【先行技術文献】
【特許文献】
【０００３】
【特許文献１】特開２０１１−０８１１７８号公報
【発明の概要】
【発明が解決しようとする課題】
【０００４】
テレビ受像機は、公共の場に設置される場合がある。公共の場とは、例えば、空港の待合ラウンジ、病院の待合室などである。このような公共の場にテレビ受像機が設置された場合、多くの視聴者がテレビ番組を視聴するので、ある１人の視聴者がテレビ受像機で選択されるチャンネルを変更することが難しい。また、視聴者がチャンネルを変更することを禁止している場合もある。
【０００５】
その結果、多くの視聴者にとって魅力的ではないテレビ番組がテレビ受像機に表示され続ける場合がある。
【０００６】
そこで、本発明は、複数のチャンネルの中から適切なチャンネルを自動的に選択することができる番組受信装置を提供する。
【課題を解決するための手段】
【０００７】
本発明の一態様に係る番組受信装置は、複数のチャンネルの番組を受信することができる番組受信装置であって、前記複数のチャンネルの中から表示部に表示する番組のチャンネルを選択するための選択部と、前記複数のチャンネルの中の少なくとも１つのチャンネルの番組をメモリに記録するための録画部と、前記メモリに記録された番組を再生するための再生部と、人気番組の開始時刻と当該人気番組を受信するための第１チャンネルとを示す人気番組情報を受信する通信部とを備え、前記選択部が前記人気番組の開始時刻前に第２チャンネルを選択している場合に、（i）前記第２チャンネルの番組が前記人気番組の開始時刻に終了する場合、前記選択部は、前記人気番組の開始時刻に、前記第２チャンネルから前記第１チャンネルに選択を切り替え、（ii）前記第２チャンネルの番組が前記人気番組の開始時刻に終了しない場合、（ii−１）前記録画部は、前記人気番組の開始時刻に、前記人気番組の前記メモリへの記録を開始し、（ii−２）前記再生部は、前記第２チャンネルの番組の終了時刻に、前記メモリに記録された前記人気番組のタイムシフト再生を開始する。
【０００８】
この構成によれば、第２チャンネルの番組が人気番組の開始時刻に終了する場合、選択部は、人気番組の開始時刻に第２チャンネルから第１チャンネルに選択を切り替えることができる。したがって、自動的に人気番組に表示を切り替えることができ、多くの視聴者にとって魅力的ではない番組が表示されることを抑制することができる。つまり、複数のチャンネルの中から適切なチャンネルを自動的に選択することができる。
【０００９】
さらに、この構成によれば、第２チャンネルの番組が人気番組の開始時刻に終了しない場合、録画部は、人気番組の開始時刻に人気番組のメモリへの記録を開始し、再生部は、第２チャンネルの番組の終了時刻に人気番組のタイムシフト再生を開始することができる。したがって、視聴中の第２チャンネルの番組の終了前に当該番組から人気番組に突然切り替わることを防ぐことができ、視聴者に不快感を与えることを防ぐことができる。また、第２チャンネルの番組が終了したときに、人気番組のタイムシフト再生が開始されるので、視聴者が人気番組の一部を見逃すことを防ぐこともできる。
【００１０】
例えば、前記人気番組のタイムシフト再生が行われている時にユーザからチャンネルの選択操作が受け付けられた場合、前記再生部は、前記人気番組のタイムシフト再生を中止してもよい。
【００１１】
この構成によれば、人気番組のタイムシフト再生が行われている時にユーザからチャンネルの選択操作が受け付けられた場合、再生部は、人気番組のタイムシフト再生を中止することができる。したがって、ユーザが積極的に視聴したい番組を選択する場合には、人気番組のタイムシフト再生を中止することができる。つまり、ユーザの意図的なチャンネル選択を妨げることがないように、人気番組の表示を制御することができる。
【００１２】
例えば、前記選択部は、前記人気番組の開始時刻前にザッピングが行われているか否かを判定し、前記選択部が前記人気番組の開始時刻前に第２チャンネルを選択している場合、かつ、前記ザッピングが行われていないと判定された場合に、（i）前記第２チャンネルの番組が前記人気番組の開始時刻に終了する場合、前記選択部は、前記人気番組の開始時刻に、前記第２チャンネルから前記第１チャンネルに選択を切り替え、（ii）前記第２チャンネルの番組が前記人気番組の開始時刻に終了しない場合、（ii−１）前記録画部は、前記人気番組の開始時刻に、前記人気番組の前記メモリへの記録を開始し、（ii−２）前記再生部は、前記第２チャンネルの番組の終了時刻に、前記メモリに記録された前記人気番組のタイムシフト再生を開始してもよい。
【００１３】
この構成によれば、人気番組の開始時刻前にザッピングが行われていない場合に、人気番組に関する処理が行われる。つまり、ユーザが積極的にチャンネルの選択を行っている場合に、人気番組が強制的に表示されることを防ぐことができ、ユーザに不快感を与えることを抑制することができる。
【００１４】
例えば、前記録画部が前記人気番組を前記メモリへ記録している時にユーザからチャンネルの選択操作が受け付けられた場合、前記録画部は、前記人気番組の前記メモリへの記録を中止してもよい。
【００１５】
この構成によれば、人気番組の録画中にユーザからチャンネルの選択操作が受け付けられた場合、録画部は、人気番組のメモリへの記録を中止する。つまり、ユーザが積極的にチャンネルの選択を行っている場合には、人気番組を自動的に表示する必要がないので、人気番組の録画を中止することができる。つまり、無駄に人気番組が記録されることを防ぐことができる。
【００１６】
なお、本発明は、このような特徴的な処理部を備える番組受信装置として実現することができるだけでなく、番組受信装置に含まれる特徴的な処理部が実行する処理をステップとする番組受信方法として実現することができる。また、番組受信装置に含まれる特徴的な処理部としてコンピュータを機能させるためのプログラムまたは番組受信方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００１７】
本発明の一態様に係る番組受信装置は、複数のチャンネルの番組の中から適切なチャンネルの番組を自動的に選択することができる。
【図面の簡単な説明】
【００１８】
【図１】実施の形態に係る番組受信装置の外観を示す斜視図である。
【図２】実施の形態に係る番組受信装置の機能構成を示すブロック図である。
【図３】実施の形態に係る番組受信装置の処理動作を示すフローチャートである。
【図４】実施の形態に係る番組受信装置の処理動作を説明するための図である。
【図５】実施の形態に係る番組受信装置の処理動作を説明するための図である。
【図６】実施の形態の変形例１に係る番組受信装置の処理動作を示すフローチャートである。
【図７】実施の形態の変形例２に係る番組受信装置の処理動作を示すフローチャートである。
【図８】実施の形態の変形例３に係る番組受信装置の処理動作を示すフローチャートである。
【図９】実施の形態の他の変形例に係る番組受信装置に表示されるメッセージの一例を示す図である。
【図１０】実施の形態の他の変形例に係る番組受信装置に表示されるメッセージの一例を示す図である。
【発明を実施するための形態】
【００１９】
以下、実施の形態について、図面を参照しながら具体的に説明する。
【００２０】
なお、以下で説明する実施の形態は、いずれも包括的または具体的な例を示すものである。以下の実施の形態で示される数値、形状、材料、構成要素、構成要素の配置位置および接続形態などは、一例であり、請求の範囲を限定する主旨ではない。また、以下の実施の形態における構成要素のうち、独立請求項に記載されていない構成要素については、任意の構成要素として説明される。
【００２１】
（実施の形態）
以下に、実施の形態に係る番組受信装置について説明する。本実施の形態に係る番組受信装置は、人気番組情報に基づいて、人気番組が送信されるチャンネルを自動的に選択する。その際、番組受信装置は、視聴中の番組の視聴が中断されないように、人気番組に表示を切り替えるタイミングを制御する。
【００２２】
［番組受信装置の構成］
まず、番組受信装置の構成について図１および図２を参照しながら説明する。
【００２３】
図１は、実施の形態に係る番組受信装置の外観を示す斜視図である。図２は、実施の形態に係る番組受信装置の機能構成を示すブロック図である。
【００２４】
番組受信装置１００は、複数のチャンネルの番組を同時に受信することができる。番組とは、予め定められた開始時刻から終了時刻まで送信される映像コンテンツである。番組は、例えば、地上波放送、衛星放送およびケーブルテレビを介して放送されるテレビ番組である。また例えば、番組は、インターネットを介して配信される番組であってもよい。
【００２５】
図２に示すように、番組受信装置１００は、第１チューナ１０２と、第１信号処理部１０４と、第２チューナ１０６と、第２信号処理部１０８と、通信部１１０と、選択部１１２と、録画部１１４と、メモリ１１６と、再生部１１８と、表示部１２０とを備える。以下に、番組受信装置１００が備える複数の構成要素の各々について説明する。
【００２６】
第１チューナ１０２は、入力信号の中から、複数のチャンネルのうちの１つのチャンネルの信号を抽出する。第１チューナ１０２によって抽出された信号は、第１信号処理部１０４に出力される。
【００２７】
第１信号処理部１０４は、第１チューナ１０２から出力された信号を処理することにより、映像信号を生成する。例えば、第１信号処理部１０４は、第１チューナ１０２から出力された信号に復調処理を行う。生成された映像信号は、表示部１２０に出力される。
【００２８】
第２チューナ１０６は、入力信号の中から、複数のチャンネルのうちの１つのチャンネルの信号を抽出する。第２チューナ１０６によって抽出された信号は、第２信号処理部１０８に出力される。
【００２９】
第２信号処理部１０８は、第２チューナ１０６から出力された信号を処理することにより、映像信号を生成する。例えば、第２信号処理部１０８は、第２チューナ１０６から出力された信号に復調処理を行う。生成された映像信号は、録画部１１４に出力される。
【００３０】
通信部１１０は、予め定められた人気番組の開始時刻と当該人気番組を受信するための第１チャンネルとを示す人気番組情報を受信する。例えば、通信部１１０は、人気番組情報を配信するためのサーバからインターネットを介して人気番組情報を受信する。
【００３１】
ここで、人気番組とは、予め定められた方法に基づいて決定された番組である。予め定められた方法は、例えば、視聴率、インターネットにおける検索ランキング、アンケート調査結果などに基づく方法である。
【００３２】
なお、予め定められた方法は、特に限定される必要はない。つまり、人気番組は、必ずしも実際に視聴者に人気がある番組である必要はない。例えば、人気番組は、番組受信装置１００が設置された公共の場の管理者が選択した番組であってもよい。
【００３３】
選択部１１２は、複数のチャンネルの中から表示部１２０に出力する番組のチャンネルを選択する。つまり、選択部１１２は、第１チューナ１０２を制御することにより１つのチャンネルを選択する。
【００３４】
また、選択部１１２は、リモコン（図示せず）を介して、ユーザからチャンネルの選択操作を受け付ける。そして、選択部１１２は、ユーザからの選択操作に従ってチャンネルを選択する。
【００３５】
ここで、選択部１１２は、人気番組の開始時刻前に選択されている第２チャンネルの番組が人気番組の開始時刻に終了する場合、人気番組の開始時刻に第２チャンネルから第１チャンネルに選択を切り替える。つまり、視聴中の番組が人気番組の開始時刻に終了する場合に、選択部１１２は、人気番組の開始時刻の直前に選択されているチャンネルから人気番組のチャンネルに切り替える。
【００３６】
録画部１１４は、複数のチャンネルの中の少なくとも１つのチャンネルの番組をメモリ１１６に記録する。つまり、録画部１１４は、第２チューナ１０６を制御することにより１つのチャンネルを選択する。そして、録画部１１４は、選択した１つのチャンネルの番組を録画する。
【００３７】
ここで、録画部１１４は、人気番組の開始時刻前に選択されている第２チャンネルの番組が人気番組の開始時刻に終了しない場合、人気番組の開始時刻に人気番組のメモリ１１６への記録を開始する。つまり、録画部１１４は、視聴中の番組が人気番組の開始時刻に終了しない場合には人気番組の録画を開始する。
【００３８】
メモリ１１６は、番組を記録するための記録媒体である。例えば、メモリ１１６は、半導体メモリ、ハードディスクドライブなどである。
【００３９】
再生部１１８は、メモリ１１６に記録された番組を再生する。例えば、再生部１１８は、メモリ１１６に記録された番組の符号化された映像データを復号し、復号して得られた映像信号を表示部１２０に出力する。
【００４０】
ここで、再生部１１８は、人気番組の開始時刻前に選択されている第２チャンネルの番組が人気番組の開始時刻に終了しない場合、第２チャンネルの番組の終了時刻にメモリ１１６に記録された人気番組のタイムシフト再生を開始する。つまり、再生部１１８は、視聴中の番組が終了した時に、人気番組のタイムシフト再生を開始する。
【００４１】
タイムシフト再生とは、番組の開始時刻よりも遅れて当該番組の再生を開始することである。つまり、視聴者は、タイムシフト再生によって、番組が送信される時刻よりも遅れた時刻に当該番組を視聴することができる。なお、タイムシフト再生は、番組の録画中に当該番組を追っかけ再生することに加えて、録画済みの番組を再生することを含む。
【００４２】
表示部１２０は、第１信号処理部１０４から出力された映像信号、または、再生部１１８から出力された映像信号に基づいて映像を表示する。
【００４３】
［番組受信装置の動作］
次に、以上のように構成された番組受信装置１００の動作について説明する。図３は、実施の形態に係る番組受信装置の処理動作を示すフローチャートである。
【００４４】
まず、通信部１１０は、例えばインターネットを介して人気番組情報を受信する（Ｓ１００）。この人気番組情報には、人気番組の開始時刻の情報と、当該人気番組が送信される第１チャンネルの情報とが含まれる。
【００４５】
次に、選択部１１２は、人気番組の開始時刻に視聴中の番組が終了するか否かを判定する（Ｓ１０２）。具体的には、選択部１１２は、表示部１２０に表示されている第２チャンネルの番組が人気番組の開始時刻に終了するか否かを判定する。
【００４６】
視聴中の番組の終了時刻の情報は、例えば、番組とともに入力信号に含まれる。したがって、選択部１１２は、人気番組の開始時刻と視聴中の番組の終了時刻とを比較することにより、人気番組の開始時刻に視聴中の番組が終了するか否かを判定することができる。
【００４７】
ここで、人気番組の開始時刻に視聴中の番組が終了する場合（Ｓ１０２のＹｅｓ）、選択部１１２は、人気番組の開始時刻に、当該人気番組が送信される第１チャンネルを選択する（Ｓ１０４）。つまり、選択部１１２は、第１チューナ１０２を制御することにより、第１チャンネルの番組を表示部１２０に表示させる。
【００４８】
例えば、図４に示される放送状況の場合、表示部１２０に表示されている第１番組２０２の終了時刻と、人気番組２０４の開始時刻とは、ともに時刻Ｔ１である。したがって、選択部１１２は、時刻Ｔ１に第２チャンネルから第１チャンネルに選択を切り替える。つまり、時刻Ｔ１に人気番組２０４の表示が開始される。
【００４９】
一方、人気番組の開始時刻に視聴中の番組が終了しない場合（Ｓ１０２のＮｏ）、録画部１１４は、人気番組の開始時刻に当該人気番組の録画を開始する（Ｓ１０６）。つまり、録画部１１４は、第２チューナ１０６を制御することにより第２チャンネルを選択し、第２チャンネルの人気番組をメモリ１１６に記録する。
【００５０】
再生部１１８は、視聴中の番組の終了時刻に人気番組のタイムシフト再生を開始する（Ｓ１０８）。つまり、再生部１１８は、人気番組の録画データの再生を開始する。
【００５１】
録画部１１４は、人気番組の終了時刻に人気番組の録画を終了する（Ｓ１１０）。なお、人気番組の終了時刻が視聴中の番組の終了時刻よりも前である場合、ステップＳ１１０は、ステップＳ１０８よりも先に実行される。
【００５２】
再生部１１８は、人気番組の再生がすべて終了したか否かを判定する（Ｓ１１２）。ここで、人気番組の再生が少しでも終了していない場合（Ｓ１１２のＮｏ）、そのまま人気番組のタイムシフト再生を継続する。
【００５３】
一方、人気番組の再生がすべて終了した場合（Ｓ１１２のＹｅｓ）、再生部１１８は、人気番組のタイムシフト再生を終了する（Ｓ１１４）。つまり、人気番組が最後まで再生された場合に、再生部１１８は、タイムシフト再生を終了する。
【００５４】
例えば、図５に示される放送状況の場合、表示部１２０に表示されている第１番組２１２の終了時刻Ｔ２は、人気番組２１４の開始時刻Ｔ１よりも後である。したがって、録画部１１４は、人気番組２１４の開始時刻Ｔ１に人気番組２１４の録画を開始する。そして、再生部１１８は、第１番組２１２の終了時刻Ｔ２に人気番組２１４のタイムシフト再生を開始する。
【００５５】
［効果］
以上のように、本実施の形態に係る番組受信装置によれば、第２チャンネルの番組が人気番組の開始時刻に終了する場合、選択部は、人気番組の開始時刻に第２チャンネルから第１チャンネルに選択を切り替えることができる。したがって、自動的に人気番組に表示を切り替えることができ、多くの視聴者にとって魅力的ではない番組が表示されることを抑制することができる。つまり、複数のチャンネルの中から適切なチャンネルを自動的に選択することができる。
【００５６】
さらに、本実施の形態に係る番組受信装置によれば、第２チャンネルの番組が人気番組の開始時刻に終了しない場合、録画部は、人気番組の開始時刻に人気番組のメモリへの記録を開始し、再生部は、第２チャンネルの番組の終了時刻に人気番組のタイムシフト再生を開始することができる。したがって、視聴中の第２チャンネルの番組の終了前に当該番組から人気番組に突然切り替わることを防ぐことができ、視聴者に不快感を与えることを防ぐことができる。また、第２チャンネルの番組が終了したときに、人気番組のタイムシフト再生が開始されるので、視聴者が人気番組の一部を見逃すことを防ぐこともできる。
【００５７】
（変形例１）
次に、実施の形態の変形例１について説明する。本変形例では、録画された人気番組のタイムシフト再生中にユーザからチャンネルの選択操作を受け付けた場合に、タイムシフト再生を中止する点が上記実施の形態と異なる。
【００５８】
以下に、本変形例に係る番組受信装置について、上記実施の形態と異なる点を中心に説明する。
【００５９】
図６は、実施の形態の変形例１に係る番組受信装置の処理動作を示すフローチャートである。なお、図６において、図３と同じ処理を行うステップには、同一の符号を付し、説明を省略する。
【００６０】
人気番組のタイムシフト再生が行われている時に、ユーザからチャンネルの選択操作（変更操作）が受け付けられた場合（Ｓ２００のＹｅｓ）、再生部１１８は、人気番組のタイムシフト再生を終了（中止）する（Ｓ１１４）。つまり、タイムシフト再生中にユーザからチャンネルの選択操作が受け付けられた場合は、人気番組が最後まで再生されていなくても、人気番組のタイムシフト再生を終了する。さらに、選択部１１２は、受け付けられた選択操作に基づいてチャンネルを選択する。
【００６１】
一方、チャンネルの選択操作が受け付けられていない場合（Ｓ２００のＮｏ）、図３と同様に、ステップＳ１１２以降の処理が実行される。
【００６２】
以上のように、本変形例に係る番組受信装置によれば、人気番組のタイムシフト再生が行われている時にユーザからチャンネルの選択操作が受け付けられた場合、再生部は、人気番組のタイムシフト再生を中止することができる。したがって、ユーザが積極的に視聴したい番組を選択する場合には、人気番組のタイムシフト再生を中止することができる。つまり、ユーザの意図的なチャンネル選択を妨げることがないように、人気番組の表示を制御することができる。
【００６３】
（変形例２）
次に、実施の形態の変形例２について説明する。本変形例では、人気番組の開始時刻前にザッピングが行われている場合に、人気番組に関する処理が行われない点が上記実施の形態と異なる。
【００６４】
以下に、本変形例に係る番組受信装置について、上記実施の形態と異なる点を中心に説明する。
【００６５】
図７は、実施の形態の変形例２に係る番組受信装置の処理動作を示すフローチャートである。なお、図７において、図３と同じ処理を行うステップには、同一の符号を付し、説明を省略する。
【００６６】
選択部１１２は、人気番組の開始時刻前にザッピングが行われているか否かを判定する（Ｓ３００）。具体的には、選択部１１２は、人気番組の開始時刻前の予め定められた時間内に予め定められた回数以上、ユーザからチャンネルの選択操作を受け付けたか否かを判定する。例えば、選択部１１２は、人気番組の開始時刻前の５分間に、リモコンのチャンネルボタンが押下された回数が５回以上であるか否かを判定する。
【００６７】
ここで、ザッピングが行われていると判定された場合（Ｓ３００のＹｅｓ）、そのまま処理を終了する。具体的には、選択部１１２は、例えば、人気番組の開始時刻前の予め定められた時間内に予め定められた回数以上、ユーザからチャンネルの選択操作を受け付けた場合、人気番組の視聴のために第１チャンネルを選択しない。また、録画部１１４は、人気番組を録画しない。
【００６８】
一方、ザッピングが行われていないと判定された場合（Ｓ３００のＮｏ）、図３と同様に、ステップＳ１０２以降の処理が行われる。
【００６９】
以上のように、本変形例に係る番組受信装置によれば、人気番組の開始時刻前にザッピングが行われていない場合に、人気番組に関する処理が行われる。つまり、ユーザが積極的にチャンネルの選択を行っている場合に、人気番組が強制的に表示されることを防ぐことができ、ユーザに不快感を与えることを抑制することができる。
【００７０】
（変形例３）
次に、実施の形態の変形例３について説明する。本変形例では、人気番組の録画中にチャンネルの選択操作が受け付けられた場合に人気番組の録画を終了する点が上記実施の形態と異なる。
【００７１】
以下に、本変形例に係る番組受信装置について、上記実施の形態と異なる点を中心に説明する。
【００７２】
図８は、実施の形態の変形例３に係る番組受信装置の処理動作を示すフローチャートである。なお、図８において、図３と同じ処理を行うステップには、同一の符号を付し、説明を省略する。
【００７３】
選択部１１２は、録画部１１４が人気番組のメモリ１１６へ記録している時にユーザからチャンネルの選択操作が受け付けられたか否かを判定する（Ｓ４００）。例えば、選択部１１２は、人気番組の録画が開始された後に、所定回数以上のチャンネルの選択操作を受け付けたか否かを判定する。ここで、チャンネルの選択操作が受け付けられた場合（Ｓ４００のＹｅｓ）、録画部１１４は、人気番組の録画を終了し（Ｓ４０２）、処理を終了する。つまり、この場合、タイムシフト再生は行われない。
【００７４】
一方、チャンネルの選択操作が受け付けられていない場合（Ｓ４００のＮｏ）、図３と同様に、ステップＳ１０８以降の処理が実行される。
【００７５】
以上のように、本変形例に係る番組受信装置によれば、人気番組の録画中にユーザからチャンネルの選択操作が受け付けられた場合、録画部は、人気番組のメモリへの記録を中止する。つまり、ユーザが積極的にチャンネルの選択を行っている場合には、人気番組を自動的に表示する必要がないので、人気番組の録画を中止することができる。つまり、無駄に人気番組が記録されることを防ぐことができる。
【００７６】
（他の変形例）
以上、本発明の実施の形態およびその変形例に係る番組受信装置について説明したが、本発明は、この実施の形態および変形例に限定されるものではない。本発明の趣旨を逸脱しない限り、当業者が思いつく各種変形を本実施の形態および変形例に施したものや、異なる実施の形態および変形例における構成要素を組み合わせて構築される形態も本発明の範囲内に含まれる。
【００７７】
例えば、上記実施の形態および各変形例において、番組受信装置１００は、表示部１２０を備えていたが、必ずしも表示部１２０を備えなくてもよい。例えば、番組受信装置１００は、表示装置に接続されたセットトップボックスであってもよい。
【００７８】
また、上記実施の形態および各変形例において、番組受信装置１００は、チューナ等（第１チューナ１０２、第１信号処理部１０４、第２チューナ１０６および第２信号処理部１０８）を備えていたが、必ずしもチューナ等を備える必要はない。例えば、番組受信装置１００は、第１チューナ１０２、第１信号処理部１０４、第２チューナ１０６および第２信号処理部１０８を備えるチューナ装置とケーブル等を介して接続されてもよい。
【００７９】
また、上記実施の形態および各変形例において、番組受信装置１００は、メモリ１１６を備えていたが、必ずしもメモリ１１６を備えなくてもよい。例えば、番組受信装置１００は、ユニバーサル・シリアル・バス（ＵＳＢ）を介して着脱可能なメモリに人気番組を記録してもよい。また例えば、番組受信装置１００は、ネットワークアタッチトストレージ（ＮＡＳ）に人気番組を記録してもよい。
【００８０】
なお、上記実施の形態および各変形例において、人気番組が表示されている時に、人気番組に関する情報が表示部１２０に表示されてもよい。例えば、図９に示すように、人気番組のジャンルおよび順位を示す情報が表示部１２０にオンスクリーンディスプレイ（ＯＳＤ）で表示されてよい。具体的には、例えば、図３のステップＳ１０４またはステップＳ１０８において、図９に示す情報が表示されてもよい。これにより、視聴者は、人気番組が表示されていることを視認することができ、視聴者が人気番組を見逃すことを抑制することができる。
【００８１】
なお、上記実施の形態の変形例１において、再生部１１８は、人気番組のタイムシフト再生を途中で終了する前に（図６のＳ２００のＹｅｓ）、図１０に示すように、視聴者にタイムシフト再生の中止を確認するためのメッセージを表示してもよい。これにより、人気番組のタイムシフト再生が誤って中止されることを防ぐことができ、視聴者の利便性を向上させることができる。
【００８２】
また、上記実施の形態および各変形例において、第２チューナ１０６および第２信号処理部１０８は、録画専用であったが、これに限定されない。例えば、表示部１２０に２つの番組が同時に表示される場合には、第２チューナ１０６および第２信号処理部１０８から出力される映像信号は表示部１２０に表示されてもよい。
【産業上の利用可能性】
【００８３】
本発明の一態様に係る番組受信装置は、例えば、テレビジョン受像機、セットトップボックス等として利用することができる。
【符号の説明】
【００８４】
１００  番組受信装置
１０２  第１チューナ
１０４  第１信号処理部
１０６  第２チューナ
１０８  第２信号処理部
１１０  通信部
１１２  選択部
１１４  録画部
１１６  メモリ
１１８  再生部
１２０  表示部
【図１】
2015226315.tif 000003
【図２】
2015226315.tif 000004
【図３】
2015226315.tif 000005
【図４】
2015226315.tif 000006
【図５】
2015226315.tif 000007
【図６】
2015226315.tif 000008
【図７】
2015226315.tif 000009
【図８】
2015226315.tif 000010
【図９】
2015226315.tif 000011
【図１０】
2015226315.tif 000012